(57)【要約】【課題】  画像形成装置の不揮発性メモリ内に記憶されるデータ（管理情報）に異常が発生した際に生じる不都合を最小限にとどめる画像形成装置及び画像形成装置の管理システムを提供する。【解決手段】  画像形成装置と通信コントロール装置とが接続される画像形成システムにおいて、画像形成装置の不揮発性メモリに記憶されるデータを通信コントロール装置に定期的にバックアップする。画像形成装置において不揮発性メモリの異常が検知されたときには通信コントロール装置からバックアップしてあるデータを取得し、これを不揮発性メモリ上に展開する。【選択図】  図１５
2006192813.tif 000002
【特許請求の範囲】
【請求項１】
画像形成装置の管理情報を記憶する不揮発性メモリと、
前記不揮発性メモリの異常を検出する検出手段と
前記画像形成装置とネットワークで接続された情報処理端末と通信する通信手段と、
前記不揮発性メモリの前記管理情報の入出力を制御する制御手段と、を有する画像形成装置であって、
前記制御手段は、
前記情報処理装置から前記管理情報の送信要求を受けると、前記通信手段を通じて前記情報処理端末に前記管理情報を送信し、
前記検出手段において前記不揮発性メモリの異常が検知されると、前記情報処理端末から前記管理情報の取得を実行し、
前記情報処理端末から前記管理情報を取得できた場合には、前記取得された前記管理情報を前記不揮発性メモリに記憶させることを特徴とする画像形成装置。
【請求項２】
前記制御手段は、前記情報処理端末から前記管理情報を取得できなかった場合には、前記不揮発性メモリのデフォルト値を前記不揮発性メモリに記憶させることを特徴とする請求項１記載の画像形成装置。
【請求項３】
前記制御手段は、前記不揮発性メモリに記憶される前記管理情報のうち、所定情報のみを前記情報処理端末に出力することを特徴とする請求項１または２に記載の画像形成装置。
【請求項４】
前記管理情報から前記所定情報を選択する選択手段を有することを特徴とする請求項３記載の画像形成装置。
【請求項５】
前記画像形成装置は、さらに、管理サーバとネットワークを介して接続されており、
前記制御手段は、
前記不揮発性メモリ内の前記管理情報の異常が検出され、前記補助記憶手段に記憶された前記管理情報が前記不揮発性メモリに記憶された場合には、前記管理情報を前記不揮発性メモリに記憶させた旨を前記管理サーバに通知することを特徴とする請求項１から４のいずれか１項に記載の画像形成装置。
【請求項６】
前記制御手段は、
前記不揮発性メモリ内の前記管理情報の異常が検出され、前記不揮発性メモリのデフォルト値が前記不揮発メモリに記憶された場合には、前記不揮発性メモリのデフォルト値を前記不揮発性メモリに記憶させた旨を前記管理サーバに通信することを特徴とする請求項２から５のいずれか１項に記載の画像形成装置。
【請求項７】
画像形成装置と、前記画像形成装置の管理情報の補助記憶を行う情報処理端末と、がネットワークで接続された画像形成装置管理システムにおいて、
前記画像形成装置は、
前記ネットワークを介して外部と通信する通信手段と、
前記画像形成装置の前記管理情報を記憶する不揮発性メモリと、
前記不揮発性メモリの異常を検出する検出手段と、
前記不揮発性メモリの前記管理情報の入出力を制御する制御手段と、を有し、
前記情報処理端末は、
所定時間毎に前記画像形成装置の前記不揮発性メモリから前記管理情報を取得する取得手段と、
前記管理情報の補助記憶を行う補助記憶手段と、を有し、
前記制御手段は、
前記検出手段によって前記不揮発性メモリの異常が検出されると、前記補助記憶手段に記憶された前記管理情報の取得を実行し、
前記補助記憶手段に記憶された前記管理情報を取得できた場合には、前記取得された前記管理情報を前記不揮発性メモリに記憶させることを特徴とする画像形成装置管理システム。
【請求項８】
前記制御手段は、前記情報処理端末から前記管理情報を取得できなかった場合には、前記不揮発性メモリのデフォルト値を前記不揮発性メモリに記憶させることを特徴とする請求項７記載の画像形成装置管理システム。
【請求項９】
前記制御手段は、前記不揮発性メモリに記憶される前記管理情報のうち、所定情報のみを前記情報処理端末に出力することを特徴とする請求項７または８に記載の画像形成装置管理システム。
【請求項１０】
前記画像形成装置は、前記管理情報から前記所定情報を選択する選択手段を有することを特徴とする請求項９記載の画像形成装置管理システム。
【請求項１１】
前記画像形成装置管理システムは、さらに、前記画像形成装置の管理を行う管理サーバと前記ネットワークを介して接続されており、
前記画像形成装置の前記制御手段は、
前記不揮発性メモリ内の前記管理情報の異常が検出され、前記補助記憶手段に記憶された前記管理情報が前記不揮発性メモリに記憶された場合には、前記管理情報を前記不揮発性メモリに記憶させた旨を前記管理サーバに通知することを特徴とする請求項７から１０のいずれか１項に記載の画像形成装置管理システム。
【請求項１２】
前記画像形成装置の前記制御手段は、
前記不揮発性メモリ内の前記管理情報の異常が検出され、前記不揮発性メモリのデフォルト値が前記不揮発メモリに記憶された場合には、前記不揮発性メモリのデフォルト値を前記不揮発性メモリに記憶させた旨を前記管理サーバに通信することを特徴とする請求項８から１２のいずれか１項に記載の画像形成装置管理システム。
【請求項１３】
前記管理サーバは、前記ネットワークを介して送信される前記画像形成装置の装置情報を、前記画像形成装置毎に管理する管理手段を有することを特徴とする請求項７から１２のいずれか１項に記載の画像形成装置管理システム。
【発明の詳細な説明】
【技術分野】
【０００１】
本発明は、画像形成装置及び画像形成装置管理システムに関し、特に、画像形成装置の不揮発性メモリに記憶されるデータの管理を行う画像形成装置及び画像形成装置の管理システムに関する。
【背景技術】
【０００２】
画像形成装置においては装置情報の記憶管理を行うための不揮発性メモリが備えられている。この不揮発性メモリには、工場出荷時の各種調整データや、装置の識別番号、ユーザの各種設定、装置のエラーログ等の画像形成装置を動作させる上で重要な情報がセットされている。
【０００３】
不揮発性メモリとは、記憶内容の保持に外部からの電源供給を必要としないメモリであり、ゆえに電源を切っても保持された記憶内容が失われることがない。そのため、不揮発性メモリに記憶される上記の情報は、基本的には失われることなく保持される。
【０００４】
このような不揮発性メモリを用いた画像形成装置の情報管理技術としては、特許文献１の技術が提案されている。これは、固有の情報記憶手段を有する装置ユニットが着脱可能で、前記情報記憶手段の記憶情報の処理、更新を行う情報制御手段と、前記情報記憶手段の記憶情報に基づいて画像形成の制御を行う画像形成制御手段と、画像形成及び各装置ユニットの管理に必要な制御情報のバックアップを行う不揮発性メモリである制御情報記憶手段とを備えた画像形成装置において、前記制御情報手段が、任意の該装置ユニットについて前記情報記憶手段に記憶された情報と前記制御情報記憶手段に記憶された情報と比較、判別することで前記情報記憶手段及び前記制御情報記憶手段に記憶された情報の正誤判断や誤情報の修正を行うというものである。
【０００５】
しかし、電源供給の有無に関わらず記憶内容を保持できる不揮発性メモリであっても、電気的な誤動作や制御プログラムの誤作動、デバイスの故障等が発生した場合には、不揮発性メモリに記憶されていた記憶内容は破壊されてしまう。
【０００６】
不揮発性メモリに記憶されている内容が破壊されてしまうと、画像形成装置の一時的使用不可などの問題が発生することがある。また、不揮発性メモリ内にはユーザが登録した各種プログラムなどがセットされている場合もあり、これについて再設定を行う必要が生じるためユーザ側において多大な不都合が生じてしまう。
【特許文献１】特開２００３−２９５７０３号公報
【発明の開示】
【発明が解決しようとする課題】
【０００７】
不揮発性メモリ内の記憶データの破壊により発生する不都合を回避する方法としては、不揮発性メモリを２個以上搭載し、不揮発性メモリのうち、一方のデータが破壊された場合には、もう一方のデバイスにあるデータを用いることでブランクデータを回避するという方法が考えられる。
【０００８】
しかし、上記のような方法では、画像形成装置毎に不揮発性メモリを複数保持しなければならないため、装置のコストが高くなってしまう。また、制御プログラムの誤作動が生じた場合には、複数存在する不揮発性メモリの全てについて影響を与え、記憶されているデータを破壊してしまう可能性があり、完全なデータ保護を望むことができない。
【０００９】
本発明は上記の問題点に鑑みて提案されたものであり、不揮発性メモリ内に記憶されるデータが破壊されたことにより生じる不都合を最小限にとどめる画像形成装置及び画像形成装置管理システムを提供することを目的とする。
【課題を解決するための手段】
【００１０】
請求項１記載の発明は、画像形成装置の管理情報を記憶する不揮発性メモリと、前記不揮発性メモリの異常を検出する検出手段と前記画像形成装置とネットワークで接続された情報処理端末と通信する通信手段と、前記不揮発性メモリの前記管理情報の入出力を制御する制御手段と、を有する画像形成装置であって、前記制御手段は、前記情報処理装置から前記管理情報の送信要求を受けると、前記通信手段を通じて前記情報処理端末に前記管理情報を送信し、前記検出手段において前記不揮発性メモリの異常が検知されると、前記情報処理端末から前記管理情報の取得を実行し、前記情報処理端末から前記管理情報を取得できた場合には、前記取得された前記管理情報を前記不揮発性メモリに記憶させることを特徴とする画像形成装置である。
【００１１】
請求項２記載の発明は、請求項１記載の発明において、前記制御手段は、前記情報処理端末から前記管理情報を取得できなかった場合には、前記不揮発性メモリのデフォルト値を前記不揮発性メモリに記憶させることを特徴とする。
【００１２】
請求項３記載の発明は、請求項１または２に記載の発明において、前記制御手段は、前記不揮発性メモリに記憶される前記管理情報のうち、所定情報のみを前記情報処理端末に出力することを特徴とする。
【００１３】
請求項４記載の発明は、請求項３記載の発明において、前記管理情報から前記所定情報を選択する選択手段を有することを特徴とする。
【００１４】
請求項５記載の発明は、請求項１から４のいずれか１項に記載の発明において、前記画像形成装置は、さらに、管理サーバとネットワークを介して接続されており、前記制御手段は、前記不揮発性メモリ内の前記管理情報の異常が検出され、前記補助記憶手段に記憶された前記管理情報が前記不揮発性メモリに記憶された場合には、前記管理情報を前記不揮発性メモリに記憶させた旨を前記管理サーバに通知することを特徴とする。
【００１５】
請求項６記載の発明は、請求項２から５のいずれか１項に記載の発明において、前記制御手段は、前記不揮発性メモリ内の前記管理情報の異常が検出され、前記不揮発性メモリのデフォルト値が前記不揮発メモリに記憶された場合には、前記不揮発性メモリのデフォルト値を前記不揮発性メモリに記憶させた旨を前記管理サーバに通信することを特徴とする。
【００１６】
請求項７記載の発明は、画像形成装置と、前記画像形成装置の管理情報の補助記憶を行う情報処理端末と、がネットワークで接続された画像形成装置管理システムにおいて、前記画像形成装置は、前記ネットワークを介して外部と通信する通信手段と、前記画像形成装置の前記管理情報を記憶する不揮発性メモリと、前記不揮発性メモリの異常を検出する検出手段と、前記不揮発性メモリの前記管理情報の入出力を制御する制御手段と、を有し、前記情報処理端末は、所定時間毎に前記画像形成装置の前記不揮発性メモリから前記管理情報を取得する取得手段と、前記管理情報の補助記憶を行う補助記憶手段と、を有し、前記制御手段は、前記検出手段によって前記不揮発性メモリの異常が検出されると、前記補助記憶手段に記憶された前記管理情報の取得を実行し、前記補助記憶手段に記憶された前記管理情報を取得できた場合には、前記取得された前記管理情報を前記不揮発性メモリに記憶させることを特徴とする画像形成装置管理システムである。
【００１７】
請求項８記載の発明は、請求項７記載の発明において、前記制御手段は、前記情報処理端末から前記管理情報を取得できなかった場合には、前記不揮発性メモリのデフォルト値を前記不揮発性メモリに記憶させることを特徴とする。
【００１８】
請求項９記載の発明は、請求項７または８に記載の発明において、前記制御手段は、前記不揮発性メモリに記憶される前記管理情報のうち、所定情報のみを前記情報処理端末に出力することを特徴とする。
【００１９】
請求項１０記載の発明は、請求項９記載の発明において、前記画像形成装置は、前記管理情報から前記所定情報を選択する選択手段を有することを特徴とする。
【００２０】
請求項１１記載の発明は、請求項７から１０のいずれか１項に記載の発明において、前記画像形成装置管理システムは、さらに、前記画像形成装置の管理を行う管理サーバと前記ネットワークを介して接続されており、前記画像形成装置の前記制御手段は、前記不揮発性メモリ内の前記管理情報の異常が検出され、前記補助記憶手段に記憶された前記管理情報が前記不揮発性メモリに記憶された場合には、前記管理情報を前記不揮発性メモリに記憶させた旨を前記管理サーバに通知することを特徴とする。
【００２１】
請求項１２記載の発明は、請求項８から１１のいずれか１項に記載の発明において、前記画像形成装置の前記制御手段は、前記不揮発性メモリ内の前記管理情報の異常が検出され、前記不揮発性メモリのデフォルト値が前記不揮発メモリに記憶された場合には、前記不揮発性メモリのデフォルト値を前記不揮発性メモリに記憶させた旨を前記管理サーバに通信することを特徴とする。
【００２２】
請求項１３記載の発明は、請求項７から１２のいずれか１項に記載の発明において、前記管理サーバは、前記ネットワークを介して送信される前記画像形成装置の装置情報を、前記画像形成装置毎に管理する管理手段を有することを特徴とする。
【発明の効果】
【００２３】
本発明により、画像形成装置の不揮発性メモリに記憶されるデータを、通信コントロール装置に定期的にバックアップし、画像形成装置が不揮発性メモリの異常を検知したときには通信コントロール装置からバックアップしてあるデータを取得し、これを不揮発性メモリ上に展開するので、不揮発性メモリ上のデータが失われた際に生じる不都合を最小限にとどめることが可能となる。
【発明を実施するための最良の形態】
【００２４】
＜画像形成装置＞
本実施形態に係る画像形成装置の構成を、図１を参照して説明する。
【００２５】
画像形成装置は、ＡＤＦ（自動原稿送り装置）１と、原稿台２と、給紙ローラ３と、給送ベルト４と、配送ローラ５と、コンタクトガラス６と、原稿セット検知部７と、第１トレイ８と、第２トレイ９と、第３トレイ１０と、第１給紙ユニット１１と、第２給紙ユニット１２と、第３給紙ユニット１３と、縦搬送ユニット１４と、感光体１５と、搬送ベルト１６と、定着ユニット１７と、排紙ユニット１８と、現像ユニット２７と、露光ランプ５１、第１ミラー５２、レンズ５３、ＣＣＤイメージセンサ５４、第２ミラー５５、第３ミラー５６から構成される読み取りユニット５０と、レーザ出力ユニット５８、結像レンズ５９、ミラー６０から構成される書き込みユニット５７と、切り替え板１０１、通常排紙ローラ１０２、搬送ローラ１０３、１０５、通常排紙トレイ１０４、ステープラ１０６、排紙ローラ１０７、ステープル台１０８、ジョガー１０９、ステープル完了排紙トレイ１１０から構成されるフィニシャ１００と、両面給紙ユニット１１１と、分岐爪１１２と、から構成される。
【００２６】
次に、本実施形態の画像形成装置における画像形成処理動作について説明する。
【００２７】
ＡＤＦ１の具備する原稿台２上に原稿の画像面を上にして置かれた原稿束は、操作部上のスタートキーが押下されることで、一番上の原稿から給送ローラ３と、給送ベルト４とにより、コンタクトガラス６上の所定の位置に給送される。
【００２８】
コンタクトガラス６上の所定の位置に給送された原稿は、読み取りユニット５０により読み取られ、読み取りが終了した原稿は、給送ベルト４、排送ローラ５を介して排出される。さらに、原稿台２に次の原稿があることを原稿セット検知部７が検知した場合には、上述した処理動作と同様に、コンタクトガラス６上に給送される。なお、給送ローラ３、給送ベルト４、排送ローラ５は、搬送モータによって駆動される。
【００２９】
第１トレイ８、第２トレイ９、第３トレイ１０に積載された記録紙は、各々第１給紙装置１１、第２給紙装置１２、第３給紙装置１３により給紙され、縦搬送ユニット１４により感光体１５に当接する位置まで搬送される。
【００３０】
読み取りユニット５０にて読み込まれた画像データは、書き込みユニット５７からのレーザによって感光体１５上に書き込まれ、感光体１５上に静電潜像が形成される。そして、静電潜像が現像ユニット２７を通過することで現像され、感光体１５上にトナー像が形成される。
【００３１】
縦搬送ユニット１４より搬送された記録紙は、感光体１５の回転速度と等速の搬送ベルト１６により搬送され、この際に、感光体１５上に形成されたトナー像が記録紙上に転写される。定着ユニット１７に搬送される。
【００３２】
トナー像の転写された記録紙は、定着ユニット１７に搬送される。定着ユニット１７において、記録紙上に転写されたトナー像が熱定着される。
【００３３】
なお、感光体１５と、搬送ベルト１６と、定着ユニット１７と、排紙ユニット１８と、現像ユニット２７とは、図２に示すメインモータ２５によって駆動される。また、各給紙装置１１〜１３は、図２に示すメインモータ２５の駆動を各々給紙クラッチ２２〜２４が伝達することで駆動される。また、縦搬送ユニット１４は、メインモータ２５の駆動を中間クラッチ２１が伝達することで駆動される。
【００３４】
排紙ユニット１８は、後処理装置であるフィニシャ１００に記録紙を排出する。
【００３５】
フィニシャ１００は、記録紙を、通常排紙トレイ１０４側と、ステープル台１０８側とに導くための装置である。切り替え板１０１を上に切り替えると、搬送ローラ１０３を介して通常排紙トレイ１０４側に記録紙を排紙する。逆に、切り替え板１０１を下方向に切り替えると、搬送ローラ１０５、排紙ローラ１０７を介して、ステープル台１０８に記録紙を搬送する。
【００３６】
通常の排紙トレイ１０４は、前後に移動可能な排紙トレイであり、前後に移動し、簡易的に排出されてくる記録紙（コピー紙）の仕分けを行う。これにより、通常の排紙トレイ１０４に搬送された記録紙は、原稿毎、あるいは、画像メモリによってソーティングされたコピー部毎に仕分けられる。
【００３７】
他方、ステープル台１０８に積載された記録紙は、一枚排紙されるごとに紙揃え用のジョガー１０９によって、紙端面が揃えられ、一部のコピー完了と共にステープラ１０６により綴じられる。ステープラ１０６で綴じられた記録紙群は自重により、ステープル完了排紙トレイ１１０に収納される。
【００３８】
なお、記録紙の両面に画像を作像する場合には、経路切り替えの為の分岐爪１１２を上側にセットする。分岐爪１１２が上側セットされると、記録紙の片面に画像が形成された記録紙は排紙トレイ１０４側に搬送されずに両面給紙ユニット１１１に一旦ストックされる。そして、両面給紙ユニット１１１に一旦ストックされた記録紙を再給紙し、感光体１５に作像されたトナー画像を再び転写する。両面転写後、経路切り替えの為の分岐爪１１２は下側にセットされ、両面印刷のなされた記録紙はフィニシャ１００に導かれる。このようにして、記録紙の両面に画像の形成がなされる。
【００３９】
次に、本実施形態の画像形成装置における原稿の読み取り処理から書き込み処理までの動作について説明する。
【００４０】
読み取りユニット５０は、原稿を載置するコンタクトガラス６と、光学走査系とで構成される。光学走査系は、露光ランプ５１と、第１ミラー５２と、レンズ５３と、ＣＣＤイメージセンサ５４とから構成される。露光ランプ５１及び第１ミラー５２は第１キャリッジ上に固定され、第２ミラー５５及び第３ミラー５６は、第２キャリッジ上に固定される。
【００４１】
原稿像を読み取る際には、光路長が変わらないように、第１キャリッジと第２キャリッジとが２対１の相対速度で機械的に走査される。この光学走査系は、スキャナ駆動モータにより駆動する。原稿像はＣＣＤイメージセンサ５４によって読み取られ、電気信号に変換されて処理される。
【００４２】
レンズ５３及びＣＣＤイメージセンサ５４を図１の左右方向に移動させることで、画像倍率が変化する。言い換えれば、指定された倍率に対応してレンズ５３及びＣＣＤイメージセンサ５４の左右方向の位置が設定される。
【００４３】
書き込みユニット５７は、レーザ出力ユニット５８と、結像レンズ５９と、ミラー６０とから構成される。レーザ出力ユニット５８の内部には、レーザ光源であるレーザダイオードと、モータによって高速で定速回転する回転多面鏡（ポリゴンミラー）が搭載されている。
【００４４】
レーザ出力ユニット５８より照射されるレーザ光は、ポリゴンミラーで偏光され、結像レンズ５９を通り、ミラー６０で折り返され、感光体１５面上に集光結像する。
【００４５】
上記のレーザ光は、感光体１５が回転する方向と直行する方向（主走査方向）に露光走査され、画像処理部のセレクタにより出力されたライン単位の記録を行う。感光体１５の回転速度と記録密度に対応した所定の周期で主走査方向への書き込みを繰り返すことによって感光体１５上に静電潜像が形成される。
【００４６】
なお、感光体１５の一端近傍のレーザビームが照射される位置には、主走査同期信号を発生するビームセンサが配置される。この主走査同期信号を基に、主走査方向の画像記録開始タイミングの制御、画像信号の入出力を行うための制御信号の生成を行う。
【００４７】
次に、図２を参照して、図１に示す画像形成装置の制御系について説明する。
【００４８】
画像形成装置の制御系は、図２に示すように、画像形成装置全体を制御するメインコントローラ２０を中心に各分散制御装置が配置されており、メインコントローラ２０は、システムバスを介して、ＩＰＵ（画像処理ユニット）４９と、ＡＤＦ１と、操作部３０と接続される。
【００４９】
操作部３０は、オペレータに対する表示やオペレータからの機能設定を行う。また、ＩＰＵ４９は、スキャナの制御、原稿画像をＩＰＵ４９の画像メモリに書き込む制御、その画像メモリからの作像処理を行う。
【００５０】
メインコントローラ２０には、メインモータ２５と、中間クラッチ２１と、第１給紙クラッチ２２と、第２給紙クラッチ２３と、第３給紙クラッチ２４と、が接続される。また、ＡＤＦ１には、搬送モータ２６や、原稿セット検知部７が接続される。操作部３０には、液晶ディスプレイや、各種入力キーが接続される。
【００５１】
次に、本実施形態の画像形成装置における画像処理ユニット（ＩＰＵ）４９の構成を、図３を参照して説明する。図３は、ＩＰＵ４９の内部構成を示す。
【００５２】
ＩＰＵ４９は、図１の露光ランプ５１から照射された光の反射光をＣＣＤイメージセンサ５４で受光し、光電変換を行う。Ａ／Ｄコンバータ６１は、光電変換したアナログ画像データをデジタル画像データに変換する。シェーディング補正部６２は、Ａ／Ｄコンバータ６１で変換されたデジタル画像データに対しシェーディング補正を行う。ＭＴＦ補正部・γ補正部６３は、シェーディング補正を行った画像データに対しＭＴＦ補正、γ補正等を施す。
【００５３】
変倍処理部７２は、画像データに対し変倍処理を行い、変倍率に合わせて画像データを拡大縮小し、セレクタ６４に出力する。セレクタ６４は、書き込みγ補正部７１または画像メモリコントローラ６５に出力先として選択し、画像データを出力する。書き込みγ補正部７１は、画像データにγ補正を行い、書き込みユニット５７に出力する。
【００５４】
なお、画像メモリコントローラ６５とセレクタ６４との間は、双方向に画像信号を入出力可能な構成となっている。
【００５５】
また、ＩＰＵ４９は、読み取りユニット５０から入力される画像データ以外にも、Ｉ／Ｏポート６７を介して外部から供給される画像データ（例えば、パーソナルコンピュータ等のデータ処理装置から出力されるデータ）も処理することが可能となるように、複数のデータの入出力を選択実行することができる機能を有する。
【００５６】
また、ＩＰＵ４９は、画像メモリコントローラ６５の設定や図１の読み取りユニット５０、書き込みユニット５７の制御を行うＣＰＵ６８と、ＣＰＵ６８により制御されるプログラムやデータを格納するＲＯＭ６９、ＲＡＭ７０と、を有する。
【００５７】
ＣＰＵ６８は、画像メモリコントローラ６５を介して、画像メモリ６６のデータの書き込み処理や、読み出し処理を行う。画像メモリコントローラ６５に送られた画像データは、画像メモリコントローラ６５内にある画像圧縮装置で圧縮され、画像メモリ６６に送られる。
【００５８】
最大画像サイズ分の２５６階調の画像データを、そのまま画像メモリ６６に書き込むことも可能であるが、これでは１枚の原稿画像データで画像メモリ６６の容量を多く使用することになる。そこで、画像メモリコントローラ６５内の画像圧縮装置で画像データを圧縮することにより画像データの容量を小さくすることで、限られた画像メモリ６６の容量を有効に利用できることが可能となる。また、一度に多くの画像データを画像メモリ６６に記憶することが可能となるため、ソート機能として、画像メモリ６６に貯えられた画像データをページ順に出力することが可能となる。なお、この場合は、画像メモリ６６に貯えられた画像データを出力した際に、画像メモリコントローラ６５内の伸長装置で画像データを順次伸長しながら出力することになる。このような機能は一般に「電子ソート」と称される。
【００５９】
また、画像メモリ６６に記憶された画像データは、ＣＰＵ６８からアクセス可能な構成となっている。これにより画像メモリ６６に記憶された画像データを加工することができ、例えば画像データの間引き処理、画像データの切り出し処理等を行うことが可能となる。なお、画像メモリ６６に記憶された画像データは画像メモリコントローラ６５内のレジスタにデータを書き込むことで加工され、その加工された画像データは再度画像メモリ６６に記憶される。
【００６０】
次に、図４を参照して、画像メモリコントローラ６５と画像メモリ６６について説明する。
【００６１】
画像メモリコントローラ６５は、入力データセレクタ１２１と、画像合成部１２２と、１次圧縮／伸長部１２３と、出力データセレクタ１２４と、２次圧縮／伸長部１２５と、から構成される。各部の制御はＣＰＵ６８より行われる。また、画像メモリ６６は、１次記憶装置１２６と、２次記憶装置１２７と、からなる。
【００６２】
画像メモリ６６の１次記憶装置１２６としては、例えばＤＲＡＭ等の高速アクセスが可能なメモリが使用される。これは、入力画像データの転送速度に略同期して１次記憶装置１２６へのデータの書き込みを行うことができるように、または、画像出力時の１次記憶装置１２６からのデータの読み出しが高速に行えるようにするためである。
【００６３】
なお、画像メモリ６６の１次記憶装置１２６は各処理を行う画像データの大きさにより複数のエリアに分割し、画像データの入出力を同時に実行可能な構成となっている。また、各分割したエリアに画像データの入力、出力をそれぞれ並列に実行可能とするために、画像メモリコントローラ６５とのインターフェースには、リード用とライト用との二組のアドレス・データ線が用いられる。これにより、エリア１に画像データを入力（ライト）する間に、エリア２により画像を出力（リード）するという動作が可能となる。
【００６４】
２次記憶装置１２７は、入力された画像の合成、ソーティングを行うためにデータを保存しておく大容量のメモリである。１次記憶装置１２６、２次記憶装置１２７の双方に高速アクセス可能な素子を使用すれば、１次、２次の区別なくデータの処理を行うことができ、制御も比較的簡単になる。しかし、ＤＲＡＭ等の素子は高価なので、２次記憶装置１２７にはアクセス速度は高速ではないが安価で大容量の記録媒体を使用し、１次記憶装置１２６を介して入出力データの処理を行う構成になっている。
【００６５】
上述のような画像メモリ６６の構成を採用することにより、大量の画像データの入出力、保存、加工等の処理が可能な画像形成装置を安価、かつ比較的簡単な構成で実現することが可能になる。
【００６６】
次に、画像メモリ６６への画像データ入出力時におけるメモリコントローラ６５の動作の概略を説明する。
【００６７】
画像メモリ６６に画像データの入力を行う際には、まず、入力データセレクタ１２１において複数のデータの内から画像メモリ６６の１次記憶装置１２６への書き込みを行う画像データの選択がなされる。ここで、入力データセレクタ１２１によって選択された画像データは、画像合成部１２２に供給され、既に画像メモリ６６に保存されているデータと合成される。
【００６８】
画像合成部１２２によって処理された画像データは、１次圧縮／伸長部１２３によりデータ圧縮される。この圧縮された画像データは、１次記憶装置１２６に書き込まれる。１次記憶装置１２６に書き込まれた画像データは、必要に応じて２次圧縮／伸長部１２５で更に圧縮され、２次記憶装置１２７に保存される。
【００６９】
画像メモリ６６から画像データの出力を行う際に、画像が１次記憶装置１２６に格納されている場合には、１次圧縮／伸長部１２３において１次記憶装置１２６の画像データの伸長を行う。伸長後のデータ、もしくは伸長後のデータと入力データとの画像合成を行った後のデータを出力データセレクタ１２４で選択し、出力する。他方、出力対象となる画像が１次記憶装置１２６に格納されていない場合には、２次記憶装置１２７に格納されている出力対象画像データを２次圧縮／伸長部１２５で伸長する。そして、伸長されたデータを１次記憶装置１２６に書き込んでから画像出力動作を行う。
【００７０】
なお、画像メモリ６６には、多くの画像データを収納するため、図３に示すように、ハードディスク（ＨＤＤ）７５を設けることも可能である。ＨＤＤ７５を設けることで、外部電源が不用で永久的に画像を保持できることになる。複数の定型の原稿（フォーマット原稿）をスキャナで読み込んで保持する際は、ＨＤＤ７５を用いるのが一般的である。
【００７１】
次に、図５を参照してセレクタ６４における１ページ分の画像信号の信号処理について説明する。
【００７２】
図５に示すフレームゲート信号（／ＦＧＡＴＥ）は、１ページ分の画像データの副走査方向に対する有効期間を示す。また、主走査同期信号（／ＬＳＹＮＣ）は、１ライン毎の主走査同期信号を示す。この主走査同期信号が立ち上がった後の所定クロックで、画像信号が有効となる。主走査方向の画像信号が有効であることを示す信号が、ラインゲート信号（／ＬＧＡＴＥ）である。
【００７３】
上記信号は、画素同期信号（ＶＣＬＫ）に同期しており、画素同期信号（ＶＣＬＫ）の１周期に対し１画素８ビット（２５６階調）のデータが送られてくる。ＩＰＵ４９は、画像入力、画像出力、のそれぞれに対して別個の／ＦＧＡＴＥ、／ＬＳＹＮＣ、／ＬＧＡＴＥ、ＶＣＬＫ、の発生機能を有し、様々な画像入出力の組み合わせを行うことが可能である。
【００７４】
次に、図６を参照して、図１に示す画像形成装置に搭載される操作部について説明する。
【００７５】
画像形成装置に搭載される操作部３０上には、液晶タッチパネル３１と、テンキー３２と、クリア／ストップキー３３と、スタートキー３４と、予熱キー３５と、リセットキー３６と、コピー機能を実行するためのコピーキー３７と、プリンタ機能を実行するためのプリンタキー３８と、初期設定キー３９と、を有する。
【００７６】
液晶タッチパネル３１上には、モード設定のためのキーや画像形成装置の状態を示すメッセージ等が表示される。そして、液晶タッチパネル３１上に表示されるキーをユーザが触れることで表示されたキーの機能内容、設定内容が選択決定される。例えば、ユーザが液晶タッチパネル３１上に表示されたキーを押下することでキーが示す機能が選択設定され、選択されたキーは黒く反転する。また、例えば変倍処理における変倍値設定等の機能の詳細を指定する際にも、液晶タッチパネル３１上に表示されるキーに触れることで、詳細機能の設定画面が表示される。なお、液晶タッチパネル３１にドット表示機能を使用することで、最適な表示をグラフィカルに行うことが可能となる。
【００７７】
初期設定キー３９は、画像形成装置の初期状態を任意にカスタマイズすることが可能となるキーである。この初期設定キー３９により、画像形成装置に収納されている用紙サイズを任意に設定したり、コピー機能のリセットキー３６を押下したときの状態を任意に設定したりすることが可能となる。また、初期設定キー３９により、液晶タッチパネル３１上に表示される各種機能に対する詳細設定を行うことも可能となる。
【００７８】
次に、図７を参照して、図６に示す液晶タッチパネル３１上の表示画面例について説明する。
【００７９】
図６に示す操作部３０上のコピーキー３７あるいはプリンタキー３８が押下されることで、図７に示す画面が液晶タッチパネル３１上に表示される。
【００８０】
図７に示すように、液晶タッチパネル３１上には、「コピーできます」「お待ちください」等のメッセージを表示するメッセージエリアと、「原稿０」「セット１」「コピー１」等のセットした枚数を表示するコピー枚数表示部と、記録紙を自動的に選択する「自動用紙選択」と、コピーを一部ずつページ順にそろえる処理を指定する「ソート」と、コピーをページ毎に仕分けする処理を指定するための「スタック」と、ソート処理されたものを一部ずつ綴じる処理を指定するための「ステープル」と、倍率を等倍にセットする「等倍」と、「用紙指定倍数」「変倍」「Ａ３→Ａ４」「Ａ４→Ａ３」「Ｂ４→Ｂ５」「Ａ５→Ａ４」「９３％」「１００％」「少し小さめ」等の拡大／縮小倍率をセットする変倍機能と、「片面→両面」「両面→両面」等の両面モードを設定する両面機能と、とじ代モード等を設定する「編集」と、表紙／合紙モードを設定する「表紙／合紙」と、ネットワークを介して多量のプリント動作を複数の画像形成装置に振り分けてプリントアウトする「連結コピー」等のキーが表示される。また、給紙トレイ数に対応した給紙トレイ状態を示し、手動で給紙段を設定するためのキーが給紙段分表示される。
【００８１】
次に、図８を参照して本実施形態の画像形成装置のハード構成を説明する。
【００８２】
本実施形態の画像形成装置のハード系は、画像読み取り部（読み取りユニット）５０と、画像書き込み部（書き込みユニット）５７と、システムコントローラ１５０と、利用者制限機器１５１と、人体検知センサ１５２と、クロック１５３と、遠隔診断装置（ＣＳＳ）１５４と、メモリユニット１５５と、操作部３０と、から構成される。画像読み取り部５０と、画像書き込み部５７と、システムコントローラ１５０と、クロック１５３と、ＣＳＳ１５４と、メモリユニット１５５とはバス回線（システムバス）で接続されている。また、利用者制限機器１５１と、人体検知センサ１５２と、操作部３０は、システムコントローラ１５０に接続されている。
【００８３】
利用者制限機器１５１とは、コインラックやキーカウンタ等のことであり、利用者による画像形成装置の無制限の利用を制限するために用いられる。人体検知センサ１５２は、予熱モード時に画像形成装置の前にユーザを近づいてきたときに自動的に予熱モードを解除する機能を実現する際に使用される。クロック１５３は、所定の時間において画像形成装置のブート（起動）やシャットダウンを行うウィークリータイマー機能を実現する際に使用される。遠隔診断装置（ＣＳＳ）１５４は、画像形成装置においてエラーが発生した場合のエラー通報や画像形成装置の使用状態等を遠隔地のサービスセンター等に通信する際に使用される。
【００８４】
＜本実施形態の画像形成装置管理システム＞
図９を参照して本実施形態の画像形成装置管理システムを説明する。
【００８５】
本実施形態の画像形成装置管理システムでは、ユーザ側に設置されているＰＰＣ２０１と、サービス拠点に設置されている管理装置２０２とは、公衆回線網２０４を介して接続されている。ＰＰＣ２０１とは、Plain Paper Copierの略で、普通紙上にコピーがとれる画像形成装置（複写機）の総称である。
【００８６】
ユーザの側にはＰＰＣ２０１と管理装置２０２との通信を制御するための通信コントロール装置２０３が設置されている。通信コントロール装置２０３はユーザの既存の回線に挿入する形で設置される。
【００８７】
通信コントロール装置２０３には、複数のＰＰＣ２０１が接続可能である。もちろん単数でもよい。なお、通信コントロール装置２０３に接続されるＰＰＣ２０１は同型のものである必要はない。また、ＰＰＣ２０１以外の機器でもかまわず、電話機２０５やファクシミリ２０６も接続が可能となっている。
【００８８】
通信コントロール装置２０３と複数のＰＰＣ２０１とは、ＲＳ−４８５規格によりマルチドロップ接続されている。通信コントロール装置２０３と各ＰＰＣ２０１間の通信制御は基本型データ伝送制御手順により行われ、通信コントロール装置２０３を制御局としたセントラライズド制御のポーリング／セレクティング方式でデータリンクの確立を行うことにより任意のＰＰＣ２０１との通信が可能になっている。ここで、各ＰＰＣ２０１のアドレスは、アドレス設定スイッチによって固有の値を設定できるようになっているので、これにより各ＰＰＣ２０１のポーリングアドレス、セレクティングアドレスの決定がなされる。
【００８９】
＜本実施形態におけるデータ管理システム＞
本実施形態の画像形成装置データ管理システム、特に不揮発性メモリに記憶されるデータの管理システムについて説明する。なお、以下の説明において不揮発性メモリに記憶されているデータのことを便宜的に不揮発データと称する。
【００９０】
まず、本実施形態の画像形成装置における不揮発データの記憶処理について図１０を参照して説明する。
【００９１】
画像形成装置は、不揮発データの記憶処理を行う不揮発性メモリ２１０を有する。不揮発性メモリ２１０にはリニアなメモリエリアとしてアクセスすることが可能であり、複数の制御プログラムが不揮発性メモリ２１０を使用している。そこで、各プログラム間でのデータ保護のために、不揮発性メモリ２１０にアクセスするための制御プログラムが専用に用意されており、そのプログラムによって図１０に示すように論理的に分割されている（ＡＲＥＡ＿１〜ＡＲＥＡ＿ｎ）。画像形成装置内で動作するプログラムは、各エリアのいずれかについて使用許可の割り当てがされている。言い換えれば、エリア毎に各種の機能が割り当てられている。
【００９２】
不揮発性メモリ２１０の各エリアは、メモリ先頭にエリア毎に固有のＭａｇｉｃ ＩＤ(４Bytes)を持つ。また、データを記憶するデータ記憶部と、各エリアに記憶されるデータについての下位８ビットを記憶するＳＵＭと、該エリアへの１バイト書き込み毎に直前のＳＵＭの保持を行うＰＳＵＭとを持つ。
【００９３】
図１１に、不揮発性メモリ２１０の各エリアへデータの書き込みを行う際のフローを示す。
【００９４】
まず、データの書き込みを行う前に、ＳＵＭに記憶される値をＰＳＵＭにコピーする（Ｓ３０１）。次に、データ記憶部にこれから書き込むデータ（１バイト）が書き込まれた場合のデータ記憶部の下位８ビットの値を算出し、この値をＳＵＭに書き込む（Ｓ３０２）。
【００９５】
ＳＵＭの更新完了後、実際にデータ（１バイト）を各エリアのデータ記憶部に書き込む（Ｓ３０３）。上記書き込み処理を１バイト毎に行い、書き込みが済んでいないデータがある場合には（Ｓ３０４／Ｎｏ）上記処理を繰り返し、全データの書き込みが終了した場合には、上記書き込み処理を抜ける（Ｓ３０４／Ｙｅｓ）。
【００９６】
次に、本実施形態の画像形成装置の電源投入時に行われる不揮発性メモリ２１０の検査フローについて図１２を参照して説明する。
【００９７】
画像形成装置の電源がＯＮされると（Ｓ３１１）、不揮発性メモリ２１０の各エリア毎に以下の検査処理がなされる。
【００９８】
まず、不揮発性メモリ２１０の各エリアのＭａｇｉｃ ＩＤが規定の値であるか否かが判断される（Ｓ３１２）。Ｍａｇｉｃ ＩＤが規定の値でない場合には（Ｓ３１２／Ｎｏ）、不揮発性メモリ２１０に記憶される不揮発データが異常であると判断し（Ｓ３１６）、後述の不揮発データ修復処理が行われる（Ｓ３１７）。他方、Ｍａｇｉｃ ＩＤが規定の値である場合には（Ｓ３１２／Ｙｅｓ）、各エリアのデータ記憶部に記憶されるデータの下位８ビットをｔｍｐ−ｓｕｍという変数にセットする（Ｓ３１３）。
【００９９】
次に、ｔｍｐ−ｓｕｍの値とＳＵＭの値との比較を行う（Ｓ３１４）。ｔｍｐ−ｓｕｍの値とＳＵＭの値とが等しい場合には（Ｓ３１４／Ｙｅｓ）、データ記憶部に記憶されているデータに異常はないと判断し処理を抜ける（Ｓ３１９）。他方、ｔｍｐ−ｓｕｍの値とＳＵＭの値とが等しくない場合には（Ｓ３１４／Ｎｏ）、ｔｍｐ−ｓｕｍの値とＰＳＵＭの値との比較が行われる（Ｓ３１５）。
【０１００】
ｔｍｐ−ｓｕｍの値とＰＳＵＭの値とが等しい場合には（Ｓ３１５／Ｙｅｓ）、データ記憶部に記憶されているデータに異常はないと判断し処理を抜ける（Ｓ３１９）。この際に、ＰＳＵＭの値がＳＵＭに書き込まれる（Ｓ３１８）。他方、ｔｍｐ−ｓｕｍの値とＰＳＵＭの値とが等しくない場合には（Ｓ３１５／Ｎｏ）、データ記憶部に記憶されるデータに異常があると判断し（Ｓ３１６）、後述の不揮発データ修復処理が行われる（Ｓ３１７）。
【０１０１】
上記のように不揮発性メモリ２１０の書き込み制御および検査制御を行うことで、正当な処理制御以外で不揮発性メモリ２１０に記憶されるデータが変化した場合、すなわち、データの異常を検知することが可能となる。
【０１０２】
次に、本実施形態の画像形成装置データ管理システムにおける不揮発データの通信コントロール装置２０３への定時バックアップ制御について説明する。本実施形態の画像形成装置管理システムでは、画像形成装置の不揮発性メモリ２１０に記憶される不揮発データを通信コントロール装置２０３にバックアップを行う。
【０１０３】
通信コントロール装置２０３の構成を図１３に示す。通信コントロール装置は、制御部２２１と、バックアップメモリ２２２と、外部Ｉ／Ｆ２２３と、公衆回線Ｉ／Ｆ２２４と、から構成される。制御部２２１は、外部Ｉ／Ｆ２２３を介して画像形成装置と通信を行う際の制御を行う。バックアップメモリ２２２は、画像形成装置から取得した不揮発データの保持を行う。
【０１０４】
図１４を参照して、バックアップ制御について説明する。通信コントロール装置２０３は、１日に１回の頻度で（例えば、毎日ＡＭ０時）、画像形成装置に対して不揮発性メモリ２１０内の不揮発データの要求を行う。不揮発データの要求を受けた画像形成装置の電源がＯＮの状態で、かつ、不揮発性メモリ２１０に対する書き込み処理、検査処理を実行していない場合には、画像形成装置は不揮発性メモリ２１０内の不揮発データを通信コントロール装置２０３に返信する。通信コントロール装置２０３は画像形成装置から不揮発データを受信すると、これをバックアップメモリ２２２に記憶する。
【０１０５】
なお、画像形成装置と通信コントロール装置２０３との間でやり取りされる不揮発データは、エリア数を示すデータ、各エリア毎のＩＤ（Ｍａｇｉｃ ＩＤ）とデータサイズ、データ本体の順で転送され、データはテキスト形式で転送される。
【０１０６】
他方、画像形成装置の電源がＯＦＦの状態、または、不揮発性メモリ２１０に対する書き込み処理、検査処理が実行されている場合には、画像形成装置は不揮発データの返送を行うことができない。このような理由で画像形成装置からの応答がない場合には、通信コントロール装置２１０は応答があるまで定期的に（例えば、５分間隔）不揮発データ要求を行う。
【０１０７】
なお、画像形成装置から通信コントロール装置に応答返信される不揮発データは、設定に応じて変更が可能である。具体的には、不揮発性メモリ２１０の全エリアの不揮発データをバックアップ対象として返信するモードと、課金データ用の不揮発性メモリエリアやユーザ管理情報用の不揮発性メモリエリアを除いたエリアの不揮発データ（機器調整データ）をバックアップ対象として返信するモードとを切り替えることで行われる。このようにバックアップ対象の不揮発データについて設定することにより、課金情報等のような装置内の保護しなければならない情報をバックアップの対象からはずすことが可能となり、ユーザセキュリティに資することが可能となる。
【０１０８】
次に、図１５を参照して、画像形成装置の不揮発性メモリ２１０の異常を検知した際の、不揮発性メモリ２１０内の不揮発データの修復処理について説明する。図１５は、不揮発性メモリ２１０内の不揮発データの異常を検知した場合に行われる不揮発データの修復処理フローを示す。
【０１０９】
画像形成装置の電源をＯＮした際に行われる図１２に示す処理フローで画像形成装置が自身の不揮発性メモリ２１０に記憶される不揮発データの異常が検知した場合には（Ｓ３２１）、画像形成装置は通信コントロール装置２０３に対してバックアップしてある不揮発データを要求する。
【０１１０】
このバックアップデータの取得要求に対し通信コントロール装置２０３から応答があった場合には（Ｓ３２３／Ｙｅｓ）、取得したバックアップデータを不揮発データとして不揮発性メモリ２１０上に展開し（Ｓ３２４）、画像形成装置を立ち上げる（Ｓ３２５）。
【０１１１】
他方、バックアップデータの取得要求に対し通信コントロール装置２０３から応答がない場合には（Ｓ３２３／Ｎｏ）、不揮発性メモリ２１０のデフォルト値を不揮発性メモリ上２１０に展開して装置を立ち上げ、液晶タッチパネル３１上に不揮発性メモリ２１０内のデータの異常発生および不揮発性メモリ２１０の設定としてデフォルト値を設定したことを表示する。
【０１１２】
このように制御することにより、不揮発データに異常が生じた際に、最後に通信コントロール装置２０３にバックアップさせた不揮発データを復帰させることができるので、不揮発データの異常発生による不都合を最小限にとどめることができ、ユーザに資することが可能となる。
【０１１３】
なお、上記不揮発データ修復処理の実行後、画像形成装置が立ち上がった後に、画像形成装置から通信コントロール装置２０３、管理装置２０５に対して修復処理実行コール（不揮発性メモリ異常発生コール）を発信するようにしてもよい。この不揮発性メモリ異常発生コールは、遠隔診断装置（ＣＳＳ）１５４を用いて行う。このコールが管理装置に通報されれば、管理者側は、遠隔地にいながら画像形成装置の不揮発性メモリ２１０に何らかの要因で異常が発生したことを知ることができる。
【０１１４】
また、管理装置２０５において、管理装置２０５が管理する画像形成装置毎に上記修復処理実行コールの回数、頻度をカウントするようにしてもよい。このように処理することで、不揮発メモリの修復処理頻度、異常発生頻度を明確にすることができる。そして、修復処理頻度、異常発生頻度が高い場合には、画像形成装置の不揮発性メモリ２１０自体が故障した可能性があると見なし、ユーザ元にサービスマンを派遣するなどの対処を取ることができるようになるので、ユーザとサービスマンの画像形成装置の維持管理に資することができる。
【図面の簡単な説明】
【０１１５】
【図１】画像形成装置の構成を示す図である。
【図２】画像形成装置の制御系の構成を示す図である。
【図３】画像形成装置における画像処理ユニット（ＩＰＵ）の構成を示すブロック図である。
【図４】画像メモリコントローラと画像メモリの構成を示す図である。
【図５】１ページ分の画像信号の信号処理を説明するための図である。
【図６】操作部の構成を示す図である。
【図７】操作部の液晶タッチパネル上に表示される画面の表示例を示す図である。
【図８】画像形成装置のハード構成を示すブロック図である。
【図９】本実施形態の画像形成装置管理システムの構成を示す図である。
【図１０】不揮発性メモリのデータ構成を示すブロック図である。
【図１１】不揮発性メモリへのデータ書き込み処理制御を示すフロー図である。
【図１２】不揮発性メモリ内のデータの異常を検知する処理制御を示すフロー図である。
【図１３】通信コントロール装置の構成を示すブロック図である。
【図１４】通信コントロール装置によるデータバックアップ処理を説明するための図である。
【図１５】データ修復処理時の制御を示すフロー図である。
【符号の説明】
【０１１６】
１５４    遠隔診断装置（ＣＳＳ）
２０２    管理装置
２０３    通信コントロール装置
２１０    不揮発性メモリ
２２２    バックアップメモリ
【図１】
2006192813.tif 000003
【図２】
2006192813.tif 000004
【図３】
2006192813.tif 000005
【図４】
2006192813.tif 000006
【図５】
2006192813.tif 000007
【図６】
2006192813.tif 000008
【図７】
2006192813.tif 000009
【図８】
2006192813.tif 000010
【図９】
2006192813.tif 000011
【図１０】
2006192813.tif 000012
【図１１】
2006192813.tif 000013
【図１２】
2006192813.tif 000014
【図１３】
2006192813.tif 000015
【図１４】
2006192813.tif 000016
【図１５】
2006192813.tif 000017